(57)【要約】  本発明は、整流のためのブラシ（１２）と、電気的な干渉抑制素子（１４）とを有する電気機械（１０）であって、ブラシ（１２）は、リング形のブラシ支持体（１８）内に配置されており、ブラシ支持体（１８）は、電気機械（１０）の−好ましくは磁極ハウジング（２４０）である−ハウジング部分（２４）の軸方向端部（２２）の上に載置されている、電気機械（１０）において、干渉抑制素子（１４）は、ハウジング（２４）の半径方向外側に配置されており、ブラシ支持体（１８）は、半径方向（２）に延在する突起部（３０）を有し、突起部（３０）は、半径方向側に向かって延在しており、従って、突起部（３０）は、ハウジング（２４）の外側に延在しており、突起部（３０）に、干渉抑制素子（１４）が配置されている、電気機械（１０）に関する。
2017517237.tif 000002
【特許請求の範囲】
【請求項１】
整流のためのブラシ（１２）と、電気的な干渉抑制素子（１４）とを有する電気機械（１０）であって、
前記ブラシ（１２）は、リング形のブラシ支持体（１８）内に配置されており、
前記ブラシ支持体（１８）は、前記電気機械（１０）の、好ましくは磁極ハウジング（２４０）であるハウジング部分（２４）の軸方向端部（２２）の上に載置されている、
電気機械（１０）において、
前記干渉抑制素子（１４）は、前記ハウジング（２４）の半径方向外側に配置されており、
前記ブラシ支持体（１８）は、半径方向（２）に延在する突起部（３０）を有し、
前記突起部（３０）は、半径方向外側に向かって延在しており、従って、前記突起部（３０）は、前記ハウジング（２４）の外側に延在しており、
前記突起部（３０）に、前記干渉抑制素子（１４）が配置されている、
ことを特徴とする電気機械（１０）。
【請求項２】
前記干渉抑制素子（１４）は、単一のコンデンサ（１４０）を含む、
請求項１に記載の電気機械（１０）。
【請求項３】
前記突起部（３０）は、コンタクトピン（３２）を備える差込収容部（３００）を含み、
前記コンタクトピン（３２）は、打ち抜き金属薄板ストリップ（３３）を介して前記ブラシ（１２）に電気的に接続されており、
前記コンタクトピン（３２）に対して並列に、前記干渉抑制素子（１４）が接続されている、
請求項１又は２に記載の電気機械（１０）。
【請求項４】
前記干渉抑制素子（１４）は、鑞接又は溶接による材料結合によって、及び／又は、圧着による摩擦結合によって、前記コンタクトピン（３２）及び／又は前記打ち抜き金属薄板ストリップ（３３）にコンタクトさせられている、
請求項１乃至３のいずれか一項に記載の電気機械（１０）。
【請求項５】
前記突起部（３０）は、前記ブラシ支持体（１８）と一体的に形成されており、好ましくは射出成形部品として製造されている、
請求項１乃至４のいずれか一項に記載の電気機械（１０）。
【請求項６】
前記干渉抑制素子（１４）は、前記突起部（３０）の射出成形時に前記突起部（３０）によって包囲されている、
請求項１乃至５のいずれか一項に記載の電気機械（１０）。
【請求項７】
前記ブラシ支持体（１８）は、プラスチック射出成形部品である、
請求項１乃至６のいずれか一項に記載の電気機械（１０）。
【請求項８】
前記ブラシ支持体（１８）は、電機子シャフト（３６）のための軸受座（３４）を含む、
請求項１乃至７のいずれか一項に記載の電気機械（１０）。
【請求項９】
前記電気機械（１２）は、自動車における調整駆動装置として、例えばウィンドウ駆動装置、サンルーフ駆動装置、トランクルームリッド駆動装置、シート調整駆動装置、及び／又は、ギアボックス駆動装置として使用される、
請求項１乃至８のいずれか一項に記載の電気機械（１０）。
【発明の詳細な説明】
【技術分野】
【０００１】
従来技術
本発明は、整流子に当接するブラシの配置構成によって機械的に整流され、干渉抑制素子を有する、独立請求項の上位概念に記載の電気機械に関する。
【背景技術】
【０００２】
直流電流によって動作する電気機械は、ロータを回転させるために直流電流の整流を必要とする。この整流は、整流子と一組のブラシとの機械的な配置構成によって実現することができる。このような機械的な整流によって、電気機械に給電される直流電流の突然の中断が生じる。この直流電流の突然の中断自体は、電気機械全体の強力な電磁妨害をもたらし、この電磁妨害は、例えば電圧ピークや電流リップルによって生成される。この電磁影響は、低減することが重要である。電磁影響を低減するためには、干渉抑制素子が使用される。干渉抑制素子は、ブラシに電気的にコンタクトさせられる。独国特許出願公開第３６２９６３４号明細書（ＤＥ３６２９６３４Ａ１）には、干渉抑制素子が載置されたブラシ保持体が開示されている。このブラシ保持体は、電気機械の磁極ハウジングの上に配置される。従って、干渉抑制素子は、ブラシ／コレクタ装置及び電機子コイルの直近に配置されている。この空間的な近接性により、干渉抑制素子は、自身の完全な干渉抑制効果を発揮することができなくなっている。なぜなら、ブラシ／コレクタ装置及び電機子コイルの電磁影響が干渉抑制素子に影響を及ぼし、これによって、電気機械に対する電磁妨害を低減させる際にその効率が減じられてしまうという負の効果が引き起こされるからである。
【先行技術文献】
【特許文献】
【０００３】
【特許文献１】独国特許出願公開第３６２９６３４号明細書
【発明の概要】
【課題を解決するための手段】
【０００４】
本発明の開示
本発明の利点
従来技術に比較して、独立請求項に記載の特徴を有する本発明に係る電気機械は、干渉抑制素子が自身の完全な干渉抑制効果を妨げられずに発揮することができるという利点を有する。このために、干渉抑制素子は、リング形のブラシ支持体が載置された、電気機械のハウジングの半径方向外側に配置される。さらには、ブラシ支持体も、電気機械の、好ましくは磁極ハウジングであるハウジング部分の外側に配置されている。これにより、干渉抑制素子は、ブラシから可及的に離隔させられている。ハウジング部分の外側には、さらなる別の構成部品を配置することが可能である。別の一つの有利な実施形態は、ブラシ支持体の半径方向に延在する突起部を有し、従って、この突起部は、ハウジングの外側に延在している。ハウジングの外側に存在するこの突起部に、干渉抑制素子が配置されている。干渉抑制素子は、接着、クリップ留め、ねじ留め、及び／又は、リベット留めすることができる。この配置構成によれば、外側の干渉抑制素子とハウジング部分との機械的に安定した位置決めが保証される。
【０００５】
従属請求項に記載された手段によって、独立請求項に記載された装置の有利な発展形態及び改善形態が実現可能である。
【０００６】
干渉抑制素子は、単一のコンデンサとして構成することが可能である。干渉抑制素子としては、コンデンサの他に、インダクタ、電子素子、半導体素子、及び／又は、誘導性素子も可能である。これにより、可能な限り高い効率が実現されると同時に、電気機械に対する電磁影響の低減が実現されることを保証することが可能となる。
【０００７】
突起部が、コンタクトピンを備える差込収容部として構成されている場合には、前記突起部は、干渉抑制素子のための保持体として使用されると同時に、電気機械のためのインタフェースとしても使用される。突起部を差込収容部として構成する別の利点は、干渉抑制素子を、差込収容部のコンタクトピンに直接接続することが可能となることである。これにより、干渉抑制素子をブラシにコンタクトさせるための複雑な配線設計を回避することが可能となる。好ましくは、コンタクトピンは、従来の打ち抜き金属薄板ストリップを介してブラシに電気的に接続されている。打ち抜き金属薄板ストリップは、インサート部品としてブラシ保持体の中に形状結合的に挿入することができる。インサート部品を、射出成形によってブラシ保持体の材料で包囲することも可能である。
【０００８】
さらに詳述すると、干渉抑制素子は、鑞接又は溶接による材料結合によって、及び／又は、圧着による摩擦結合によって、コンタクトピン及び／又は打ち抜き金属薄板ストリップにコンタクトさせられている。上記接続技術によれば、干渉抑制素子とブラシとの間の電気的コンタクトが、一方では低抵抗になり、他方では機械的に頑強になることが保証される。有利な一つの実施形態では、突起部は、ブラシ保持体と一体的に形成されている。この場合、突起部は、好ましくは射出成形されている。このことにより、突起部を備えるブラシ保持体の構造が機械的に頑強になると同時に、低コストになることが保証される。干渉抑制素子は、突起部によって完全には包囲されないように突起部の外側面に配置することも可能であるが、射出成形によって、突起部を形成する材料で包囲することもまた可能である。このように射出成形によって包囲された干渉抑制素子は、干渉抑制素子が確実に位置決めされるという利点を提供する。
【０００９】
有利には、ブラシ支持体は、電機子シャフトのための軸受座を有し、これにより、ブラシ支持体は、電機子シャフトのための且つブラシのための軸受として多様な機能を果たす。これにより、直ちに使用することができる状態の電気機械を完成させるために、取り付けるべき構成部品の個数が低減することが保証される。
【００１０】
好ましくは、突起部を備えるブラシ支持体全体が、プラスチック射出成形部品である。プラスチック射出成形部品は、低コストに製造可能である。
【００１１】
本発明に係る電気機械は、自動車における調整駆動装置として、例えばウィンドウ駆動装置、サンルーフ、トランクルームリッド駆動装置、シート調整駆動装置、及び／又は、ギアボックス駆動装置として使用することができる。本発明に係るこのような電気機械を使用することは、確実に機能するという利点を有する。
【００１２】
図面の簡単な説明
本発明の実施形態を図面に図示し、以下の記載においてより詳細に説明する。
【図面の簡単な説明】
【００１３】
【図１】干渉抑制素子が配置された差込収容部を有する本発明に係る、ブラシ支持体を備える電気機械を示す図である。
【発明を実施するための形態】
【００１４】
発明を実施する形態
図１には、本発明に係る電気機械１０が図示されている。電気機械１０は、磁極ハウジング２４０として構成されたハウジング部分２４を含む。軸方向１において、磁極ハウジング２４０の軸方向端部２２上に相接してブラシ保持体１８が載置されている。ブラシ支持体１８は、リング形に形成されている。ブラシ支持体１８の、磁極ハウジング２４０に面した側には、一組のブラシ１２が配置されている。ブラシ支持体１８はさらに、電機子シャフト軸受座３４を含む。電機子シャフト軸受座３４は、ブラシ保持体１８の、軸方向１において、ブラシ１２とは反対の側に配置されている。軸受座３４は、ブラシ保持体１８と一体的に形成されていて軸方向１に延在しているリング形の突出部である。従って、電機子シャフト３６は、軸方向端部２２の上に載置されたブラシ保持体１８の中心において支持されている。図１では、電機子シャフト３６は、ブラシ保持体１８を軸方向１に貫通して外側に向かって突出している。ブラシ１２は、電機子シャフト３６上に支持された整流子と協働できるように、電機子シャフト３６に対して半径方向に位置決めされている。しかしながら、電機子シャフト３６がブラシ保持体１８内で終端していて、ブラシ保持体１８から突出していない実施形態も可能である。さらには、ブラシ保持体１８を磁極ハウジング２４０の内部に配置して、ブラシ保持体１８全体が磁極ハウジング２４０によって周方向に覆われるようにすることも可能である。
【００１５】
図１の実施形態は、軸方向端部２２の外側輪郭２６と部分的に一直線に並んでいる外側縁部２０を有するブラシ保持体１８を図示している。ハウジング２４の半径方向外側には、差込収容部３００として構成された突起部３０が配置されている。差込収容部３００は、ハウジング２４の輪郭２６を起点として半径方向２に外側に向かって延在している。差込収容部３００はさらに、半径方向２に磁極ハウジング２４０に向かって延在している。差込収容部３００は、二つのコンタクトピン３２を含む。差込収容部３００内には、複数のコンタクトピンを配置することが可能である。二つのコンタクトピン３２に対して並列に、コンデンサ１４０として構成された干渉抑制素子１４が並列接続されている。突起部３０には、複数の干渉抑制素子１４を配置することが可能である。それぞれ一つの干渉抑制素子１４及び／又はそれぞれ複数の干渉抑制素子１４を含む、多数の突起部３０を配置することも考えられる。コンタクトピン３２とコンデンサ１４０との電気的コンタクトは、差込収容部３００の、軸受座３４に面した軸方向の側にて実施される。従って、コンデンサ１４０は、コンタクトピンの自由端部を備える差込収容部３００の挿入口に向かい合うように配置されている。コンタクトピン３２は、後方の領域において干渉抑制素子１４によってコンタクトされる。ブラシ保持体１８は、ロータシャフトを横切る方向のベースプレートを有し、このベースプレートは、差込収容部３００へと延在している。コンデンサ１４０は、このベースプレートの上に配置されており、このベースプレートを貫通して、コンタクトピン３２の、軸方向に向かい合っている両端部に対するコンタクトが導かれている。ブラシ１２は、打ち抜き金属薄板ストリップ３３を介してコンタクトピン３２に電気的に接続されている。一組のブラシ１２とコンタクトピン３２との間の電気的コンタクトのために、打ち抜き金属薄板ストリップ３３の代わりに、リッツ線、ワイヤ、及び／又は、導体路を備える基板を使用することも可能である。さらには、干渉抑制素子１４を、ハウジング２４又は磁極ハウジング２４０の外側で、打ち抜き金属薄板ストリップ３３にコンタクトさせることも考えられる。さらには、ブラシ保持体１８の上に、例えば熱スイッチ、例えばＣｙ型、Ｃｘ型のコンデンサ、インダクタのようなさらなる別の構成部品を配置することも可能である。この場合には、コンタクトピン３２又は打ち抜き金属薄板ストリップ３３とのコンタクトを、鑞接及び／又は溶接及び／又は圧着によって実施することができる。差込収容部３００は、ブラシ保持体１８と一体的に形成されている。この場合には、差込収容部３００とブラシ保持体１８とが、一つの共通の方法ステップで射出成形されている。干渉抑制素子１４を、射出成形によって、ブラシ保持体１８及び差込収容部３００のプラスチック材料で包囲することも可能である。打ち抜き金属薄板ストリップ３３は、インサート部品としてブラシ保持体１８に取り付けることができる。打ち抜き金属薄板ストリップ３３を、射出成形によって、ブラシ保持体及び差込収容部３００で包囲することも可能である。
【００１６】
図面及び明細書に示された複数の実施例に関して、個々の特徴を互いに種々に組み合わせることができることに留意すべきである。さらには、本発明に係る、ブラシ保持体１８を備える電気機械１０は、例えばウィンドウ駆動装置、サンルーフ、トランクルームリッド駆動装置、シート調整駆動装置、又は、ギアボックス調整駆動装置として使用される。このような用途以外にも、別の技術分野において使用することも可能である。
【図１】
2017517237.tif 000003
【手続補正書】
【提出日】平成28年12月15日(2016.12.15)
【手続補正１】
【補正対象書類名】特許請求の範囲
【補正対象項目名】全文
【補正方法】変更
【補正の内容】
【特許請求の範囲】
【請求項１】
整流のためのブラシ（１２）と、電気的な干渉抑制素子（１４）とを有する電気機械（１０）であって、
前記ブラシ（１２）は、リング形のブラシ支持体（１８）内に配置されており、
前記ブラシ支持体（１８）は、前記電気機械（１０）のハウジング部分（２４）の軸方向端部（２２）の上に載置されている、
電気機械（１０）において、
前記干渉抑制素子（１４）は、前記ハウジング（２４）の半径方向外側に配置されており、
前記ブラシ支持体（１８）は、半径方向（２）に延在する突起部（３０）を有し、
前記突起部（３０）は、半径方向外側に向かって延在しており、従って、前記突起部（３０）は、前記ハウジング（２４）の外側に延在しており、
前記突起部（３０）に、前記干渉抑制素子（１４）が配置されている、
ことを特徴とする電気機械（１０）。
【請求項２】
前記干渉抑制素子（１４）は、単一のコンデンサ（１４０）を含む、
請求項１に記載の電気機械（１０）。
【請求項３】
前記突起部（３０）は、コンタクトピン（３２）を備える差込収容部（３００）を含み、
前記コンタクトピン（３２）は、打ち抜き金属薄板ストリップ（３３）を介して前記ブラシ（１２）に電気的に接続されており、
前記コンタクトピン（３２）に対して並列に、前記干渉抑制素子（１４）が接続されている、
請求項１又は２に記載の電気機械（１０）。
【請求項４】
前記干渉抑制素子（１４）は、鑞接又は溶接による結合によって、及び／又は、圧着による結合によって、前記コンタクトピン（３２）及び／又は前記打ち抜き金属薄板ストリップ（３３）にコンタクトさせられている、
請求項１乃至３のいずれか一項に記載の電気機械（１０）。
【請求項５】
前記突起部（３０）は、前記ブラシ支持体（１８）と一体的に形成されている、
請求項１乃至４のいずれか一項に記載の電気機械（１０）。
【請求項６】
前記突起部（３０）は、射出成形部品である、
請求項５に記載の電気機械（１０）。
【請求項７】
前記干渉抑制素子（１４）は、前記突起部（３０）によって包囲されている、
請求項１乃至６のいずれか一項に記載の電気機械（１０）。
【請求項８】
前記ブラシ支持体（１８）は、プラスチック射出成形部品である、
請求項１乃至７のいずれか一項に記載の電気機械（１０）。
【請求項９】
前記ブラシ支持体（１８）は、電機子シャフト（３６）のための軸受座（３４）を含む、
請求項１乃至８のいずれか一項に記載の電気機械（１０）。
【請求項１０】
前記ハウジング部分（２４）は、磁極ハウジング（２４０）である、
請求項１乃至９のいずれか一項に記載の電気機械（１０）。
【請求項１１】
前記電気機械（１０）は、自動車における調整駆動装置である、
請求項１乃至１０のいずれか一項に記載の電気機械（１０）。
【請求項１２】
前記自動車における前記調整駆動装置は、ウィンドウ駆動装置、サンルーフ駆動装置、トランクルームリッド駆動装置、シート調整駆動装置及びギアボックス駆動装置のうちの少なくとも一つを含む、
請求項１１に記載の電気機械（１０）。
【手続補正２】
【補正対象書類名】明細書
【補正対象項目名】００１１
【補正方法】変更
【補正の内容】
【００１１】
本発明に係る電気機械は、自動車における調整駆動装置として、例えばウィンドウ駆動装置、サンルーフ駆動装置、トランクルームリッド駆動装置、シート調整駆動装置、及び／又は、ギアボックス駆動装置として使用することができる。本発明に係るこのような電気機械を使用することは、確実に機能するという利点を有する。
【手続補正３】
【補正対象書類名】明細書
【補正対象項目名】００１６
【補正方法】変更
【補正の内容】
【００１６】
図面及び明細書に示された複数の実施例に関して、個々の特徴を互いに種々に組み合わせることができることに留意すべきである。さらには、本発明に係る、ブラシ保持体１８を備える電気機械１０は、例えばウィンドウ駆動装置、サンルーフ駆動装置、トランクルームリッド駆動装置、シート調整駆動装置、又は、ギアボックス調整駆動装置として使用される。このような用途以外にも、別の技術分野において使用することも可能である。
【国際調査報告】
2017517237.tif 000004
2017517237.tif 000005
2017517237.tif 000006
2017517237.tif 000007
2017517237.tif 000008
2017517237.tif 000009